(57)【特許請求の範囲】
【請求項１】
眼用レンズと保存液を収容する窪みを備えたレンズ収納部に対して、該窪みの開口周縁部から外周方向に広がるフランジ状部を一体形成せしめた容器本体と、該容器本体に重ね合わせられて該窪みの開口部を覆う覆蓋シートとを備え、該覆蓋シートを該容器本体における該窪みの開口部の回りで全周に亘って剥離可能に固着することにより、該レンズ収納部を流体密に封止せしめた眼用レンズ容器において、
前記フランジ状部における前記窪みの開口周縁部の外周側に位置して、該窪みの開口方向と反対側に向かって屈曲した段差面を備えた縁切部を、周方向に延びるように形成し、該段差面を前記覆蓋シートが固着されない非固着面とすると共に、該覆蓋シートが固着された固着面を該段差面よりも外周側に設けたことを特徴とする眼用レンズ容器。
【請求項２】
前記縁切部を構成する段差面の外周側を、前記窪みの開口方向と反対側に下がって位置する下段面として、該下段面によって前記固着面を構成した請求項１に記載の眼用レンズ容器。
【請求項３】
前記縁切部を、前記フランジ状部の表面側に開口して延びる凹溝によって構成して、該凹溝の内周側の側壁面を前記段差面とした請求項１又は２に記載の眼用レンズ容器。
【請求項４】
前記縁切部が、前記窪みの開口周縁部の外周側において周方向の全周に亘って連続して形成されている請求項１乃至３の何れかに記載の眼用レンズ容器。
【請求項５】
前記窪みの開口周縁部を、該窪みの開口方向に向かって凸となる湾曲断面で周方向に延びるように形成した請求項１乃至４の何れかに記載の眼用レンズ容器。
【請求項６】
前記窪みの開口部近くの内周面を、前記窪み内面の本体部分とは異なる曲率半径で形成された取出案内面とした請求項１乃至５の何れかに記載の眼用レンズ容器。
【請求項７】
前記取出案内面が、互いに異なる曲率半径を有する分割案内面を、前記窪みの開口方向に向かって接続することによって形成されている請求項６に記載の眼用レンズ容器。
【請求項８】
前記取出案内面が、前記窪みの周方向の全周に亘って連続して形成されている請求項６又は７に記載の眼用レンズ容器。
【請求項９】
前記縁切部が、前記窪みの開口周縁部から外方に離隔位置せしめられており、前記フランジ状部における該窪みの開口周縁部と該縁切部の間が平坦面とされている請求項１乃至８の何れかに記載の眼用レンズ容器。
【請求項１０】
前記窪みの開口周縁部の周りにおける前記フランジ状部と前記覆蓋シートの固着面を、周上の少なくとも一カ所において外周方向に向かって嘴状に延び出す嘴状部とした請求項１乃至９の何れかに記載の眼用レンズ容器。
【請求項１１】
前記窪みの開口周縁部の周りにおける前記フランジ状部と前記覆蓋シートの固着面を、周上の少なくとも一カ所において外周方向に向かって延長せしめることによって、該フランジ状部から剥離せしめられて該窪みの開口部の全体を開口せしめた該覆蓋シートが該フランジ状部に対して固着状態に保持せしめられる固着保持部を形成した請求項１乃至１０の何れかに記載の眼用レンズ容器。
【請求項１２】
前記フランジ状部と前記覆蓋シートの固着面を、前記窪みの開口部を挟んで前記嘴状部と反対側に位置する部分において外周側に延長せしめることによって、該嘴状部から剥離せしめられて該窪みの開口部の全体を開口せしめた該覆蓋シートが該フランジ状部に対して固着状態に保持せしめられる固着保持部を形成した請求項１０に記載の眼用レンズ容器。
【請求項１３】
前記嘴状部を、前記窪みを挟んだ両側に位置する部分において一対形成することにより、その一方が前記固着保持部となるようにした請求項１２に記載の眼用レンズ容器。
【発明の詳細な説明】
【０００１】
【技術分野】
本発明は、コンタクトレンズ等の眼用レンズを収容するレンズ収納部を備えた眼用レンズ容器に係り、特に、眼用レンズを収納部から有利に取り出すことの出来る新規な構造の眼用レンズ容器に関するものである。
【０００２】
【背景技術】
従来から、コンタクトレンズを収容するレンズ容器としては、ブリスター包装等が知られており、例えば、特開平７−３２２９１１号公報や特開平９−２３９１６号公報，特開平１０−３１３９２８号公報，米国特許第６０５０３９８号明細書等にも示されているように、半球状の窪みと開口周縁部から開口方向に略直角に広がるフランジ部を一体形成したパッケージ本体を用い、その窪みに眼用レンズや保存液を収容すると共に、プラスチックフィルムやアルミ箔等で形成された蓋体を窪みの開口部に重ね合わせて、該蓋体をパッケージ本体のフランジ部に固着して、窪みの開口部を覆蓋せしめた構造とされている。
【０００３】
ところで、このような従来構造のブリスター包装においては、蓋体を剥がすと、パッケージ本体のフランジ部に設けられた接着面が荒らされて、接着面が形成された窪みの開口周縁部に毛羽立ちのようなバリが発生し易い。一方、コンタクトレンズは、パッケージ本体から取り出される際、指で上から押さえつけられて、或いは摘まれながら、窪みの底面から開口周縁部に滑らされて開口周縁部やフランジ部から摘み上げられるようにして取り出されることが多く、そのために、蓋体の剥離に際して、開口周縁部に発生したバリにレンズが接触することによって、レンズに傷や欠け等の損傷が発生し易いという問題があった。特に、使い捨てタイプ等の薄肉で強度の小さいコンタクトレンズ等の場合には、そのようなレンズ容器からの取り出しに際しての損傷の問題が大きい傾向にあった。
【０００４】
【解決課題】
ここにおいて、本発明は、上述の如き事情を背景として為されたものであって、その解決課題とするところは、コンタクトレンズ等の眼用レンズの取り出しに際しての損傷が防止されて、眼用レンズを容易に取り出すことの出来る新規な構造の眼用レンズ容器を提供することにある。
【０００５】
【解決手段】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。
【０００６】
先ず、本発明の第一の態様は、眼用レンズと保存液を収容する窪みを備えたレンズ収納部に対して、該窪みの開口周縁部から外周方向に広がるフランジ状部を一体形成せしめた容器本体と、該容器本体に重ね合わせられて該窪みの開口部を覆う覆蓋シートとを備え、該覆蓋シートを該容器本体における該窪みの開口部の回りで全周に亘って剥離可能に固着することにより、該レンズ収納部を流体密に封止せしめた眼用レンズ容器において、前記フランジ状部における前記窪みの開口周縁部の外周側に位置して、該窪みの開口方向と反対側に向かって屈曲した段差面を備えた縁切部を、周方向に延びるように形成し、該段差面を前記覆蓋シートが固着されない非固着面とすると共に、該覆蓋シートが固着された固着面を該段差面よりも外周側に設けたことを、特徴とする。
【０００７】
このような本態様に従う構造とされた眼用レンズ容器においては、眼用レンズがレンズ収納部（窪みの底面）から取り出される際、例えば、該レンズが、上から指で押さえられつつ、窪みの底面から開口周縁部に向かって滑らされて、該窪みの開口周縁部乃至はフランジ状部から摘み上げられて取り出されることとなる。そこにおいて、容器本体と覆蓋シートの固着面が窪みの開口周縁部の外周側に位置する縁切部よりも外周側に設けられており、縁切部の段差面を挟んで、固着面が窪みの開口周縁部から隔てられていることから、かかるレンズの取り出しに際して、覆蓋シートの剥離により、たとえバリ等が発生して容器本体側の固着面が荒らされても、レンズが容器本体側の固着面に接触することが軽減乃至は回避され得るのであり、それによって、眼用レンズの取り出しに際しての損傷が防止されて、眼用レンズの容器本体からの取り出しを容易に且つ安全に行うことが出来るのである。
【０００８】
なお、本態様において、容器本体における窪みの内面形状や大きさ等は、特に限定されることなく、保存液を収容せしめて該保存液中に眼用レンズを浸漬状態に保持せしめ得るものであれば良い。また、窪みの底面形状は、収容される眼用レンズの具体的形状や大きさ等に応じて適宜に設定されるものであり、例えば、米国特許６０５０３９８号明細書に記載のように球状凹面の他、特開昭６２−１２２９６９号記載のように平坦面、或いは特開平１０−３１３９２８号記載のように球状凸面等が、何れも採用可能である。更に、容器本体の材料としては、製作性やコスト、取扱性等を考慮して強度と耐薬品性に優れた合成樹脂材料を採用することが望ましく、特に、フッ素樹脂やポリアミド，ポリアリレート，ポリエチレン，ポリエチレンテレフタレート，ポリ塩化ビニル，非結晶ポリオレフィン，ポリカーボネート，ポリサルフォン，ポリブチレンテレフタレート，ポリプロピレン，ポリメチルペンテン等や、或いはそれらの複合体や多層構造の合成樹脂が好適に採用される。更にまた、窪みの平面形状も各種形状が採用可能であり、例えば円形窪みの他、矩形等の多角形状窪みや、楕円形状窪み、ハート形窪みなどが適宜に採用され得る。更に、容器本体には、補強用の縦リブや外周縦壁，剥離補助用の穴や肉抜用の穴，把持に際しての滑り止め用の凹凸等が形成されていても良い。また、覆蓋シートとしては、内容物が外部に漏れるのを防ぐ単層または多層構造のフィルム状であって、容器本体に接着や溶着等によって固着され得るものであれば良く、例えば、前記容器本体の材料として挙げられた合成樹脂等を用いる他、アルミニウム等の金属や、或いはそれら合成樹脂と金属の複合材等が好適に採用される。
【０００９】
また、本発明の第二の態様は、前記第一の態様に従う構造とされた眼用レンズ容器において、前記縁切部を構成する段差面の外周側を、前記窪みの開口方向と反対側に下がって位置する下段面として、該下段面によって前記固着面を構成したことを、特徴とする。このような本態様においては、眼用レンズの取り出しに際して眼用レンズが滑らされる窪みの開口周縁部の面に対して、覆蓋シートの固着面が高さ方向に離隔して分断位置せしめられることから、眼用レンズを容器本体から取り出すに際して、眼用レンズの固着部に発生するバリ等に対する眼用レンズの接触が効果的に回避され得る。また、窪みの開口周縁部の面と固着面が、縁切部の段差面によって高さ方向で縁切状態とされていることから、窪みの開口周縁部の面と固着面の分断状態を確保しつつ、平面視において固着面を窪みの開口周縁部に十分に近づけて位置せしめることも可能となるのであり、それによって、容器本体のコンパクト化も図られ得る。
【００１０】
さらに、本発明の第三の態様は、前記第一又は第二の態様に従う構造とされた眼用レンズ容器において、前記縁切部を、前記フランジ状部の表面側に開口して延びる凹溝によって構成して、該凹溝の内周側の側壁面を前記段差面としたことを、特徴とする。このような本態様においては、前記第一又は第二の態様における眼用レンズ容器が有利に実現され得る。また、容器本体と覆蓋シートの固着面は、（ｉ）フランジ状部における凹溝よりも外周側に設けても良く、或いは（ii）凹溝の底面に設けても良い。そこにおいて、前者（ｉ）においては、窪みの開口周縁部の面と固着面の間に凹溝が形成されることとなって、それら窪みの開口周縁部の面と固着面がより確実に分断されて縁切状態とされ得る。また、後者（ii）においては、固着面や開蓋時にそこに発生するバリ等を凹溝内に隠すように形成位置せしめることが可能となり、眼用レンズの取出しに際してのバリ等に対する接触がより効果的に回避され得る。なお、凹溝の内周側の側壁面は、窪みに近接する位置における凹溝の側壁内面とされている。
【００１１】
なお、前記第一乃至第三の何れかの態様において、窪みの開口周縁部の外周側に形成される縁切部は、眼用レンズ容器における眼用レンズの取出予定部分に形成されていれば良く、必ずしも周方向の全周に亘って形成する必要はない。そこにおいて、本発明の第四の態様は、前記第一乃至第三の何れかの態様に従う構造とされた眼用レンズ容器において、前記縁切部が、窪みの開口周縁部の外周側において周方向の全周に亘って連続して形成されていることを、特徴とする。このような本態様においては、窪みの周上の何れの部位においても、眼用レンズの取出予定部分を設定することが可能となる。
【００１２】
さらに、本発明の第五の態様は、前記第一乃至第四の何れかの態様に従う構造とされた眼用レンズ容器において、前記窪みの開口周縁部を、該窪みの開口方向に向かって凸となる湾曲断面で周方向に延びるように形成したことを、特徴とする。このような本態様においては、レンズの取り出しに際して、窪みの開口周縁部のエッジに対するレンズの引掻きによる傷つきが防止され得る。
【００１３】
また、本発明の第六の態様は、前記第一乃至第五の何れかの態様に従う構造とされた眼用レンズ容器において、前記窪みの開口部近くの内周面を、前記窪み内面の本体部分とは異なる曲率半径で形成された取出案内面としたことを、特徴とする。このような本態様においては、取出案内面を適当な形状に設定することにより、該取出案内面に沿わせてレンズを一層取り出し易くすることが出来る。なお、取出案内面の形状等は、容器本体の製作性や使用者の嗜好性等に応じて当業者が適宜に判断して設定し得ることであり、ここに具体的な全てを挙げることはしないが、かかる取出案内面は、窪みの開口方向に向かって凸となる湾曲断面の他、窪みの開口方向に向かって凹となる湾曲断面であったり、或いは窪みの開口方向に向かって拡開する曲率が０の直線的な傾斜面であっても良い。具体的には、例えば、取出案内面を、窪みの開口方向に向かって凸となる湾曲断面形状とすることにより、レンズを窪みの開口部から滑らせて摘まみ易くすることが可能であり、また、取出案内面を、窪み内面の本体部分よりも小さな曲率半径で窪みの開口方向に向かって凹となる凹面形状とすることにより、レンズ収納部が全体的に必要以上に大きくなることを避けて、容器本体のコンパクト化が図られ得ると共に、レンズの取り出しに際して、窪みの開口周縁部の外周側付近からレンズを立ち上げるようにして取り出し易くすることが可能となる。なお、本態様において前記第五の態様を組み合わせて採用する場合には、取出案内面によって、窪みの開口方向に向かって凸となる湾曲断面で周方向に延びる窪みの開口周縁部を形成することも可能となる。
【００１４】
また、本発明の第七の態様は、前記第六の態様に従う構造とされた眼用レンズ容器において、前記取出案内面が、互いに異なる曲率半径を有する分割案内面を、前記窪みの開口方向に向かって接続することによって形成されていることを、特徴とする。このような本態様においては、眼用レンズの種類や形状，大きさ，材質等の他、使用者の嗜好性や容器本体の材質等に応じて、取出案内面を大きな自由度で設計することが可能となる。なお、複数の分割案内面は、（ａ）互いに共通接線をもって滑らかに接続されている他、（ｂ）共通接線を持たない不連続な屈曲点をもって接続されていても良い。また、かかる取出案内面は、内方に凸な湾曲断面や、テーパ形状の傾斜面、内方に向かって凹な湾曲断面等の各種形状の異なる分割案内面の複数を互いに接続することによって形成されても良く、或いは略同一形状で且つ曲率半径の異なる分割案内面の複数を互いに接続することによって形成されても良い。
【００１５】
なお、前記第五乃至第七の何れかの態様において、窪みの開口周縁部における断面凸形の湾曲面や、取出案内面は、眼用レンズ容器における眼用レンズの取出予定部分に形成されていれば良く、必ずしも周方向の全周に亘ってする必要はない。また、取出案内面は、周方向の全周に亘って一定の曲率半径の断面形状をもって形成されていても良く、或いは周方向で曲率半径が適宜に変化されていても良い。そこにおいて、本発明の第八の態様は、前記第六又は第七の態様に従う構造とされた眼用レンズ容器において、前記取出案内面が、窪みの周方向の全周に亘って連続して形成されていることを、特徴とする。
【００１６】
さらに、本発明の第九の態様は、前記第一乃至第八の何れかの態様に従う構造とされた眼用レンズ容器において、前記縁切部が、前記窪みの開口周縁部から外方に離隔位置せしめられており、前記フランジ状部における該窪みの開口周縁部と該縁切部の間が平坦面とされていることを、特徴とする。このような本態様においては、窪みの開口周縁部から容器本体と覆蓋シートの固着面を一層大きく離して位置せしめることが出来、それによって、眼用レンズを容器本体から取り出す際の固着面への接触がより有利に軽減乃至は回避され得る。
【００１７】
更にまた、本発明の第十の態様は、前記第一乃至第九の何れかの態様に従う構造とされた眼用レンズ容器において、前記窪みの開口周縁部の周りにおける前記フランジ状部と前記覆蓋シートの固着面を、周上の少なくとも一カ所において外周方向に向かって嘴状に延び出す嘴状部としたことを、特徴とする。このような本態様においては、覆蓋シートを嘴状部の先端部から剥離することによって、特に覆蓋シートの開け始めの剥離強度が小さく抑えられ得る。それ故、開蓋性が向上されてスムーズな開蓋が可能になると共に、窪みの開口に際して、覆蓋シートの剥離に伴って容器本体に生ぜしめられる揺れ等の反動が抑えられて、保存液が窪みの開口部から大きく零れ落ちることも防止されるのであり、レンズの取り出しが一層容易となる。なお、固着面の具体的形状は、特に限定されるものでなく、窪みの開口部平面形状等を考慮して各種設定可能である。また、固着面の幅寸法は、全周に亘って略一定とする他、周方向で適当に変化させることにより、覆蓋シートの剥離強度を調節することが出来る。
【００１８】
なお、本態様において、嘴状部における先端部から基端部に向かう所定長さの領域で、該嘴状部の先端部からの距離寸法：Ｌに対する嘴状部の固着面の幅寸法：Ｂの比：Ｂ／Ｌの値を適宜に調節することによって、覆蓋シートの剥離性を調節することが可能である。そこにおいて、好ましくは、Ｂ／Ｌ＜５となるように設定されることとなり、それによって、覆蓋シートのスムーズな開蓋性がより有利に実現され得る。また、嘴状部は、フランジ状部と覆蓋シートの固着面に対して軸方向に傾斜して形成されることも可能であるが、望ましくは、該固着面に対して略軸直角方向に形成される。
【００１９】
また、本発明の第十一の態様は、前記第一乃至第十の何れかの態様に従う構造とされた眼用レンズ容器において、前記窪みの開口周縁部の周りにおける前記フランジ状部と前記覆蓋シートの固着面を、周上の少なくとも一カ所において外周方向に向かって延長せしめることによって、該フランジ状部から剥離せしめられて該窪みの開口部の全体を開口せしめた該覆蓋シートが該フランジ状部に対して固着状態に保持せしめられる固着保持部を形成したことを、特徴とする。このような本態様においては、覆蓋シートの剥離による窪みの開口後も、固着保持部によって覆蓋シートが容器本体に固着されることとなり、覆蓋シートを含む容器本体を一体として取り扱うことが出来る。なお、固着保持部は、覆蓋シートの剥離方向に直交する方向での容器本体に対する固着保持部の幅寸法が、他の部分よりも充分に大きくなるようにすることが望ましく、それによって、覆蓋シートの引き剥がしに際しての容器本体からの分離がより効果的に防止される。また、かかる固着保持部を採用した眼用レンズ容器にあって、覆蓋シートは、剥離後、容器本体のフランジ状部から屈曲乃至は湾曲等して立ち上がる変形状態に保持されることにより、窪みの開口状態を維持し得るような材質で形成されることが望ましい。
【００２０】
また、本発明の第十二の態様は、前記第十の態様に従う構造とされた眼用レンズ容器において、前記フランジ状部と前記覆蓋シートの固着面を、前記窪みの開口部を挟んで前記嘴状部と反対側に位置する部分において外周側に延長せしめることによって、該嘴状部から剥離せしめられて該窪みの開口部の全体を開口せしめた該覆蓋シートを該フランジ状部に対して固着状態に保持せしめる固着保持部を形成したことを、特徴とする。このような本態様においては、覆蓋シートの剥離に際して、嘴状部から容易に開蓋を開始することが出来ると共に、覆蓋シートの急な引き剥がしによる容器本体からの分離が、固着保持部によって防止されて、覆蓋シートの分離に伴う容器本体の反動が防止されることから、窪みをより安定して開口せしめることが出来る。
【００２１】
さらに、本発明の第十三の態様は、前記第十二の態様に従う構造とされた眼用レンズ容器において、前記嘴状部を、前記窪みを挟んだ両側に位置する部分において一対形成することにより、その一方を前記固着保持部となるようにしたことを、特徴とする。このような本態様においては、どちらの嘴状部からでも開口可能となり、使用性等が有利に向上される。また、一方の嘴状部を固着保持部としたことにより、前記第十二の態様と同様な効果が有効に発揮され得る。
【００２２】
【発明の実施形態】
以下、本発明を更に具体的に明らかにするために、本発明の実施形態について、図面を参照しつつ、詳細に説明する。
【００２３】
先ず、図１〜２には、本発明の第一の実施形態としてのブリスタパッケージ１０が、示されている。このブリスタパッケージ１０は、容器本体１２と覆蓋シートとしてのカバーシート１４を含んで構成されており、容器本体１２に眼用レンズとしてのコンタクトレンズ１６や保存液１８を収容して、カバーシート１４を容器本体１２に剥離可能に固着することにより、コンタクトレンズ１６を密封収容すると共に、必要に応じて取り出すことが出来るようになっている。
【００２４】
より詳細には、容器本体１２は、レンズ収納部２０とフランジ状部２２を含んで構成されており、ポリプロピレンやポリエチレン等の合成樹脂により射出成形等によって形成されている。レンズ収納部２０は、厚さ方向に扁平な略半球殻形状を有しており、その内部には、球状底面を有する窪み２４が形成されている。また、レンズ収納部２０の底部の内周面、換言すれば窪み２４内面の本体部分としての底面２６は、略一定の曲率半径：Ｒ１を有する球状凹面とされている（図３参照）。また一方、フランジ状部２２は、薄肉の略矩形平板形状を有しており、窪み２４の開口周縁部から外周方向に向かって、開口方向（図２中、上方向）に略直角に広がるようにしてレンズ収納部２０と一体形成されている。また、フランジ状部２２の外周縁部には、それぞれ大きさの異なる３つの切り欠き２８，２８，２８が形成されている。これら切り欠き２８は、略半円形状を呈しており、例えば、使用者が容器本体１２を把持する際に、指を引っ掛けて容器本体１２を把持し易くされている。
【００２５】
また、レンズ収納部２０には、図１，２にも示されているように、コンタクトレンズ１６と保存液１８が収容されており、窪み２４が、コンタクトレンズ１６を収容するのに十分な深さの保存液１８で略満水状態とされている。なお、収容されるコンタクトレンズ１６や保存液１８の種類や材質等は限定されるものでないが、本実施形態において、コンタクトレンズ１６は、例えば、ＨＥＭＡ（ヒドロキシエチルメタクリレート）を素材とする親水性ソフトコンタクトレンズとされると共に、保存液１８は、コンタクトレンズ１６の乾燥を防ぎ、且つレンズ１６をすぐに使用できる状態に維持せしめ得るものであって、無菌水溶液，等浸透圧食塩水等とされる。
【００２６】
さらに、レンズ収納部２０の外周縁部となる窪み２４の開口周縁部には、取出案内面３０が形成されている。かかる取出案内面３０は、球状凹面とされた窪みの底面２６に対して滑らかに接続されていると共に、窪み２４の開口方向に向かって凸となる湾曲断面で周方向の全周に亘って連続して形成されている。
【００２７】
また、取出案内面３０は、周方向で曲率半径が変化せしめられており、図１，３にも示されているように、径方向一方（図１中、左上方）の半球面の窪み底面２６に接続される取出案内面３０ａの曲率半径：Ｒ２が、周方向の略半周に亘って略一定とされている一方、径方向他方（図１中、右下方）の半球面の窪み底面２６に接続される取出案内面３０ｂの曲率半径：Ｒ３が、前記取出案内面３０ａの曲率半径：Ｒ２よりも大きくされている。そして、窪みの底面２６における曲率半径：Ｒ１の曲率円と取出案内面３０ａ，３０ｂにおける曲率半径：Ｒ２, Ｒ３の曲率円は、窪みの底面２６と取出案内面３０の接続点：Ｐ１において、互いに共通接線をもって接続されている。これにより、取出案内面３０は、窪み２４の開口端縁部から径方向外方への延び出し長さが、図１中の右下部に位置する周上の一箇所で大きくされており、かかる部位の取出案内面３０ｂが、他の取出案内面３０ａよりも滑らかな湾曲面とされている。なお、取出案内面３０の外周縁部は、平面視において径方向一方（図１中、右下方）に延びる略卵形とされており、長軸方向一方の曲率半径が他方の曲率半径よりも小さくされていることにより、窪み２４の開口部３２が、略卵形とされている。
【００２８】
さらに、取出案内面３０の外周側には、平坦面３４が形成されている。この平坦面３４は、窪み２４の開口方向に略直角に広がるようにして取出案内面３０の外周縁部に滑らかに接続されていると共に、周方向の全周に亘って連続して形成されている。即ち、平坦面３４と取出案内面３０の接続点：Ｐ２において、取出案内面３０における曲率半径：Ｒ２，Ｒ３の曲率円の接線が、何れも、平坦面３４上の直線とされている。また、平坦面３４の幅寸法は、周方向の略全周に亘って略一定とされている。
【００２９】
また、平坦面３４には、窪みの開口部３２の長径方向において、曲率半径が大きくされて外方に突出せしめられた部分には、径方向外方に向かって突出する尖鋭部３６が形成されている。
【００３０】
さらに、平坦面３４の外周側には、段差状部３８を介して下段面４０が形成されている。この縁切部としての段差状部３８は、窪み２４の開口方向と反対側に延びるようにして平坦面３４の外周縁部に接続される段差面４２を備えており、周方向の全周に亘って連続して形成されている。また、段差状部３８の段差面４２の延び出し側の先端周縁部には、窪み２４の開口方向に略直角に広がる下段面４０が、周方向の全周に亘って連続形成されている。また、下段面４０の外周縁部は、フランジ状部２２の外周縁部とされている。即ち、下段面４０は、平坦面３４よりも、段差面４２の高さ寸法だけ軸方向下方に位置して、平坦面３４の外周側にフランジ状に形成されている。また、上述の説明からも明らかなように、本実施形態では、これら平坦面３４と下段面４０の形成部位と段差状部３８によって容器本体１２のフランジ状部２２が構成されている。
【００３１】
一方、カバーシート１４は、アルミニウム箔と合成樹脂の複合材からなるラミネートシートによって形成されており、容器本体１２の外形形状に対応した平面形状を有している。また、カバーシート１４は、容器本体１２にヒートシール等で固着されており、例えば、図４に示されているように容器本体１２の製造段階において予め形成された突部４４によって溶着されている。この突部４４は、下段面４０において段差面４２の近くに配設されており、開口方向に向かって突出する三角断面とされていると共に、略一定の幅寸法をもって周方向の全周に亘って連続して形成されている。そして、カバーシート１４を容器本体１２に固着する際には、突部４４の先端面にカバーシート１４を重ね合わせて、溶着用加熱具をカバーシート１４の表面から押圧することにより突部４４を加熱溶融させて押し潰し、カバーシート１４を突部４４に溶着するようにされている。要するに、本実施形態では、図１, ２にも示されているように、突部４４がヒートシール加工で押し潰されることによって、段差状部３８の周りに容器本体１２とカバーシート１４の固着面４６が形成されており、該固着面４６が、段差状部３８によって平坦面３４と高さ方向で離隔せしめられていることによって、取出案内面３０および平坦面３４と実質的に縁切り状態とされている。
【００３２】
また、固着面４６には、平坦面３４の尖鋭部３６の外周側において先端部が尖鋭形状を有する嘴状部４８が形成されている。かかる嘴状部４８の形状や大きさ等は、特に限定されるものでないが、嘴状部４８における先端部から基端部（尖鋭部３６の接続端部）に向かう所定長さの領域で、嘴状部４８の先端部からの距離寸法：Ｌに対する嘴状部４８の固着面の幅寸法：Ｂの比：Ｂ／Ｌの値を適当に設定することにより、カバーシート１４の剥離操作を容易とすることが出来る。ここにおいて、嘴状部４８の先端部からの距離寸法：Ｌに対する嘴状部４８の固着面の幅寸法：Ｂの比：Ｂ／Ｌの値は、良好な剥離操作性を実現するためにＢ／Ｌ＜５とされることが望ましく、本実施形態においては、Ｂ／Ｌ＜１となるように設定されている。
【００３３】
そして、かかるカバーシート１４は、図２にも二点鎖線で示されているように、容器本体１２の上端面に重ね合わせられて突部４４に固着されることにより、カバーシート１４の略中央部が段差状部３８で窪み２４の開口方向に突出せしめられた状態で容器本体１２に取り付けられており、以て、容器本体１２の窪み２４の開口部３２がカバーシート１４で覆蓋されている。なお、カバーシート１４の容器本体１２への固着に際し、容器本体１２のレンズ収納部２０には、予めコンタクトレンズ１６と保存液１８が収容されており、カバーシート１４を容器本体１２に固着せしめることによって、本実施形態のブリスタパッケージ１０が実現されている。なお、カバーシート１４の表面には、容器本体１２への固着の前或いは後に、必要に応じて、適当な表示やデザインが、印刷やシール貼着によって付され得る。
【００３４】
上述の如き構造とされたブリスタパッケージ１０においては、容器本体１２におけるカバーシート１４の固着面４６が、段差状部３８によって平坦面３４よりも軸方向下方に位置せしめられていることにより、レンズ１６の取り出しに際して、カバーシート１４の剥離により、たとえバリ等が発生して容器本体１２におけるカバーシート１４の固着面４６が荒らされても、レンズ１６が該固着面４６に接触することが軽減乃至は回避され得る。それ故、レンズ１６に損傷を与えることが軽減されて、レンズ１６の容器本体１２からの取り出しが有利に実現され得るのである。
【００３５】
また、本実施形態においては、窪み２４の開口周縁部が、取出案内面３０によって開口方向に向かって凸となる湾曲断面形状とされており、かかる開口周縁部における鋭利なエッジが回避されていることから、コンタクトレンズ１６の取り出しに際して開口周縁部の引掻きによる傷つきも防止され得るのである。
【００３６】
更にまた、取出案内面３０が、窪み２４の底面２６および平坦面３４に対して各接続点Ｐ１，Ｐ２で滑らかに接続されていることにより、コンタクトレンズ１６をレンズ収納部２０から取り出す際に、底面２６から取出案内面３０および平坦面３４にかけて滑らかに滑らせて取り出すことが出来るという利点もある。
【００３７】
さらに、本実施形態では、窪み２４の開口部における径方向一方向（図１中の右下方向）だけを取出予定部分とされており、窪み２４の開口周縁部における取出予定部分以外の部分では取出案内面３０の曲率半径を小さくして窪み２４の開口部の全体平面サイズを小さく抑えつつ、取出案内面３０に大きな曲率半径を設定してコンタクトレンズ１６を滑らせて取り出し易くすることが可能となる。
【００３８】
また、本実施形態においては、取出案内面３０ｂと段差状部３８の間に幅広の平坦面３４が形成されていることから、コンタクトレンズ１６を取出案内面３０ｂから取り出す際に、かかる幅広の平坦面３４によって取出案内面３０の外周縁部（段差状部３８）から下段面４０への滑り落ち等が軽減乃至は回避されることとなり、レンズ１６の取り出しがより有利に実現され得る。また、カバーシート１４が、全周に亘って形成された平坦面３４に密着状に重ね合わされて窪み２４の開口部３２を覆蓋せしめていることから、密閉性がより向上され得る。
【００３９】
さらに、本実施形態では、固着面４６に嘴状部４８が設けられていることにより、かかる嘴状部４８からカバーシートを剥離するに際して、特に、カバーシート１４の開け始めの剥離強度が、可及的に小さく抑えられ得るのであり、それによって、例えば、窪み２４の開口に際して、小さな力で開蓋することが出来ると共に、カバーシート１４の剥離に伴ない容器本体１２に揺れ等の反動が生ぜしめられることによって、保存液１８が窪み２４の開口部３２から大きく零れ落ちることも防止されることから、コンタクトレンズ１６の取り出しが一層有利に実現され得る。
【００４０】
更にまた、本実施形態では、容器本体１２とカバーシート１４の固着が、容器本体１２に設けられた突部４４上で行われることから、目的とする固着面４６を高精度に且つ安定して形成することが出来、それによって、製作性や密閉性等が有利に向上され得る。
【００４１】
以下、本発明の別の実施形態としてのブリスタパッケージを、更に幾つか例示するが、以下に挙げる実施形態において、第一の実施形態と同様な構造とされた部材および部位については、図中に、第一の実施形態と同一の符号を付することにより、それらの詳細な説明を省略する。
【００４２】
すなわち、図５〜６には、本発明の第二の実施形態としてのブリスタパッケージ５０が示されている。かかるブリスタパッケージ５０は、（ｉ）窪み２４の開口部３２近くの内周面と、窪み２４の開口周縁部を、連続的に形成する取出案内面の形状と、（ii）窪み２４の開口部３２の開口周縁部の形状に関して、第一の実施形態と異なる実施形態を示すものである。
【００４３】
詳細には、本実施形態のブリスタパッケージ５０における窪み２４は、半球面形状とされた底面２６に対して、開口部３２近くの内周面の曲率半径が異ならされており、底面２６の曲率半径：Ｒ４よりも大きな曲率半径：Ｒ５で、開口方向に向かって僅かに拡開する凹形の湾曲断面形状を有する凹湾曲面５２が、窪み２４の開口部３２近くに形成されている。なお、凹湾曲面５２は、窪みの底面２６に対して、共通接線を有する接続点：Ｐ３で滑らかに接続されている。また、窪み２４の開口周縁部を構成する角部には、窪み２４の開口方向に向かって凸となる湾曲断面形状の角取面５４が形成されており、この角取面５４によって窪み２４の開口周縁部のエッジが除かれている。更に、かかる角取面５４は、窪み２４の開口部３２外方に行くに従って次第に曲率半径：Ｒ６が大きくなる放物線形の断面形状とされており、曲率半径：Ｒ６が小さい方の端縁部が取出案内面５２の開口端縁部に接続されていると共に、曲率半径：Ｒ６が大きい方の端縁部がフランジ状部２２の平坦面３４に接続されている。なお、角取面５４は、取出案内面５２と平坦面３４の何れに対しても、共通接線を有する接続点：Ｐ４，Ｐ５で滑らかに接続されている。要するに、本実施形態の取出案内面５６は、これら複数の分割案内面としての凹湾曲面５２および角取面５４を含んで構成されている。なお、上述の説明からも明らかなように、角取面５４は、分割案内面の一つとして構成されていると共に、窪み２４の開口方向に向かって凸となる湾曲断面をもって周方向に延びる開口周縁部とされている。
【００４４】
また、窪み２４は、その開口周縁部に形成された凹湾曲面５２と角取面５４（取出案内面５６），平坦面３４および段差面４２を含んで、中心軸回りの全周に亘って一定の断面形状を有する回転体形状として形成されている。なお、段差面４２に連続形成されたフランジ状部２２は、平面形状が略正方形とされていると共に、フランジ状部２２の外周縁部には、下方に向かって突出する補強片５８が、周方向の全周に亘って連続して一体形成されている。更に、フランジ状部２２上には、段差面４２の外周側を周方向の全周に亘って略一定幅で連続して延びるようにして略円環形状の固着面４６が形成されている。この固着面４６は、例えば第一の実施形態と同様に、フランジ状部２２の表面に突出して一体形成された突部に対してカバーシート１４を重ね合わせて、該突部を加熱押圧変形させると共に、カバーシート１４を該突部に融着することによって形成され得る。
【００４５】
更にまた、固着面４６の周上には、径方向一方向で対向位置する部分に、一対の嘴状部４８，４８が形成されている。なお、これらの嘴状部４８，４８は、何れも、第一の実施形態のものよりは外周方向への突出寸法が小さくされており、嘴状部４８の先端部からの突出方向寸法：Ｌに対する嘴状部４８の固着面の幅寸法：Ｂの比：Ｂ／Ｌの値が、Ｂ／Ｌ≒５となるように設定されている。
【００４６】
ところで、本実施形態において、取出案内面５６や平坦面３４を含んで構成される窪み２４の開口周縁部の具体的な形状や大きさ等は、特に限定されるものでなく、収容されるコンタクトレンズ１６の材質や形状，大きさの他、使用性や製造性等を考慮して、適宜に変更可能であり、その具体例の幾つかを、図７〜１２に示すが、これらの具体例に限定的に解釈されるものでないことは、言うまでもない。
【００４７】
先ず、図７に示された窪み２４の開口周縁部を構成する取出案内面６０は、窪み２４の中心軸回りの回転体形状とされており、第一の分割案内面としてのテーパ状傾斜面６２および第二の分割案内面としての角取面６４によって構成されている。テーパ状傾斜面６２は、曲率半径：Ｒ７を有する窪みの底面２６の外周縁部に対して、接続点：Ｐ６において屈曲して不連続に接続されており、接続点：Ｐ６から開口方向に向かって拡開する一定のテーパ角をもってストレートに延びる傾斜断面とされている。また、角取面６４は、小さな曲率半径：Ｒ８をもって開口方向に向かって凸となる湾曲断面とされており、テーパ状傾斜面６２と接続点：Ｐ７において屈曲した不連続点で接続されている一方、平坦面３４と接続点：Ｐ８で滑らかに接続されている。
【００４８】
また、図８に示された窪み２４の開口周縁部を構成する取出案内面６６は、窪み２４の中心軸回りの回転体形状とされており、曲率半径：Ｒ９を有する窪みの底面２６よりも小さな曲率半径：Ｒ１０をもって開口方向に向かって凸となる湾曲断面形状をもって形成されている。なお、取出案内面６６は、窪みの底面２６の外周縁部と接続点：Ｐ９において屈曲した不連続点で接続されている一方、平坦面３４に対して接続点：Ｐ１０で連続的に接続されている。なお、上述の説明からも明らかなように、取出案内面６６は、窪み２４の開口周縁部を構成する角部の角取面としても構成されている。
【００４９】
さらに、図９に示された窪み２４の開口周縁部を構成する取出案内面６８は、第一の分割案内面としての凸湾曲面７０と、第二の分割案内面としての角取面７２によって構成されている。凸湾曲面７０は、曲率半径：Ｒ１１を有する窪みの底面２６よりも充分に小さな曲率半径：Ｒ１２をもって開口方向に向かって凸となる湾曲断面とされており、窪みの底面２６の外周縁部と接続点：Ｐ１１で不連続に接続されている。また、角取面７２は、窪みの底面２６よりも小さく且つ凸湾曲面７０よりも大きな曲率半径：Ｒ１３で開口方向に向かって凸となる湾曲断面とされており、凸湾曲面７０と接続点：Ｐ１２において不連続に接続されている一方、平坦面３４と接続点：Ｐ１３で連続的に接続されている。
【００５０】
更にまた、図１０に示された窪み２４の開口周縁部には、曲率半径：Ｒ１４を有する窪みの底面２６よりも充分に小さな曲率半径：Ｒ１５をもって開口方向に向かって凸となる湾曲断面形状で周方向全周に亘って連続して延びる角取面７４とされている。また、この角取面７４は、窪みの底面２６と平坦面３４の何れに対しても、共通接線を有する接続点：Ｐ１４，Ｐ１５で滑らかに連続的に接続されている。なお、かかる角取面７４は、曲率半径：Ｒ１５を適当に設定することにより、窪み２４の開口部近くの内周面を構成する取出案内面としても構成され得る。
【００５１】
また、図１１に示された窪み２４の開口周縁部を構成する取出案内面７６は、第一の分割案内面としての第一の角取面７８および第二の分割案内面としての第二の角取面８０によって構成されている。第一の角取面７８は、曲率半径：Ｒ１６を有する窪みの底面２６よりも小さな曲率半径：Ｒ１７をもって開口方向に向かって凸となる湾曲断面とされており、窪みの底面２６と接続点：Ｐ１６において連続的に接続されている。また、第二の角取面８０は、第一の角取面７８よりも小さな曲率半径：Ｒ１８をもって開口方向に向かって凸となる湾曲断面とされており、第一の角取面７８と段差状部３８の段差面４２の何れに対しても、接続点：Ｐ１７，１８で滑らかに接続されている。要するに、本具体例では、平坦面を介さずに、取出案内面７８と段差状部３８の段差面４２が直接に接続されているのである。
【００５２】
さらに、図１２に示された窪み２４の開口周縁部を構成する角取面８２は、曲率半径：Ｒ１９を有する窪みの底面２６よりも小さな曲率半径：Ｒ２０をもって開口方向に向かって凸となる湾曲断面とされており、窪みの底面２６と接続点：Ｐ１９において連続的に接続されている一方、フランジ状部２２の下段面４０と接続点：Ｐ２０において不連続に接続されている。これにより、本具体例では、角取面８２の内周部分によって取出案内面が構成されていると共に、角取面８２の外周部分によって段差状部３８の段差面４２が構成されている。
【００５３】
さらに、上述の第二の実施形態において、嘴状部４８の具体的な形状や大きさ等は、特に限定されるものでなく、容器本体１２またはカバーシート１４の材質や形状，大きさの他、固着面４６の剥離性等を考慮して、適宜に変更可能であり、その具体例の幾つかを、図１３〜１５に示す。
【００５４】
すなわち、図１３には、固着面４６の剥離開始予定部分に形成されて、１＜Ｂ／Ｌ＜２とされた嘴状部８４が示されている。また、図１４には、固着面４６の剥離開始予定部分に形成されて、２＜Ｂ／Ｌ＜３とされた嘴状部８６が示されている。更にまた、図１５には、固着面４６の剥離開始予定部分に形成されて、３＜Ｂ／Ｌ＜４とされた嘴状部８８が示されている。
【００５５】
上述の如き構造とされた第二の実施形態としてのブリスタパッケージ５０においては、容器本体１２におけるカバーシート１４の固着面４６が、段差状部３８によって平坦面３４よりも軸方向下方に位置せしめられていることにより、前記第一の実施形態と同様な効果が有効に発揮され得て、レンズ１６の取り出しに際してのレンズ１６の損傷を効果的に抑えることが出来る。
【００５６】
また、本実施形態において、図７〜１２に示された適当な取出案内面（角取面）を採用することにより、レンズ１６の取り出しに際して、レンズ１６を窪みの底面２６から取出案内面に沿って滑らせる際に、底面２６からレンズ１６が容易に乃至は積極的に離脱され得るようにして取り出し易くすること等も可能となる。
【００５７】
更にまた、本実施形態では、固着面４６の周上の径方向一方向で対向位置する部分に、一対の嘴状部４８，４８が形成されていることにより、どちらの嘴状部４８からでも開口可能とされると共に、一方の嘴状部を開蓋後のカバーシート１６を容器本体１２に対して保持せしめる固着保持部として機能せしめることも可能となることから、製作性や使用性等が向上され得る。
【００５８】
次に、図１６〜１７には、本発明の第三の実施形態としてのブリスタパッケージ９０が示されている。かかるブリスタパッケージ９０は、固着面４６の幅寸法や形状等に関して、前記第一又は第二の実施形態と異なる実施形態を示すものである。
【００５９】
すなわち、本実施形態のブリスタパッケージ９０におけるレンズ収納部２０は、全体として、略半球殻形状を有しており、内部には、略半球形形状の窪み２４が形成されている。また、フランジ状部２２は、平面形状が略矩形とされていると共に、対向する一対の外周縁部には、下方に向かって突出する補強用の縦リブ９２や剥離補助用の把持部９４が一体形成されている。
【００６０】
また、本実施形態の取出案内面９６は、窪み２４の開口周縁部において、窪みの底面２６よりも小さな略一定の曲率半径をもって開口方向に向かって凸となる一定の湾曲断面で、周方向の全周に亘って連続して形成されていると共に、窪みの底面２６と平坦面３４の何れに対しても、共通接線を有する接続点：Ｐ２１，Ｐ２２で滑らかに接続されている。これにより、本実施形態の窪み２４の開口部３２は、略真円形状とされている。なお、上述の説明からも明らかなように、取出案内面９６は、窪み２４の開口周縁部のエッジを除く角取面としても構成されている。
【００６１】
さらに、取出案内面９６と周方向の全周に亘って接続せしめられた平坦面３４の幅寸法は、周方向で異ならされており、平坦面３４の外周縁部が、窪み２４の開口部３２を中心とする略楕円形状とされている。また、平坦面３４における長径方向一方の側には、径方向外方に延び出す尖鋭部３６が形成されている。
【００６２】
更にまた、下段面４０に設けられている固着面４６の外周縁部は、窪み２４の開口部３２を中心とする略真円形状を有しており、それによって、固着面４６の幅寸法が周方向で変化せしめられている。即ち、図１６に示されているように、固着面４６の幅寸法は、嘴状部４８の突出方向となる径方向一方向で対向位置する部分４６ａ，４６ａが、嘴状部４８の突出方向に直交する径方向で対向位置する部分４６ｂ，４６ｂよりも小さく設定されている。
【００６３】
このような構造とされたブリスタパッケージ９０においては、固着面４６における幅寸法が周方向で変化されていることにより、カバーシート１４の剥離強度を容易に調節することが出来るのであり、それによって、例えば、カバーシート１４の剥離強度を全体に亘って略均一化せしめることも可能となるのである。
【００６４】
次に、図１８〜１９には、本発明の第四の実施形態としてのブリスタパッケージ９８が示されている。このブリスタパッケージ９８は、前記第三の実施形態のブリスタパッケージ９０に対して、更に、固着保持部としてのシール保持部１００が設けられたものである。
【００６５】
かかるシール保持部１００は、容器本体１２とカバーシート１４の固着面４６において、窪み２４の開口部３２を挟んで嘴状部４８と反対側に位置する部分から径方向外方に向かって所定の幅寸法で延び出して広がるように形成されている。また、シール保持部１００は、全体として略矩形形状を有しており、嘴状部と反対側の位置に、径方向外方に向かって、フランジ状部２２の外周縁部まで延びており、その幅寸法は、窪み２４の開口幅寸法と略同一かそれよりも大きな最大幅寸法とされている。
【００６６】
このような構造とされたブリスタパッケージ９８においては、カバーシート１４の剥離に際して、固着面４６の嘴状部４８と反対側に位置する部分における加速度的な剥離がシール保持部１００によって制限されることから、窪み２４の開口部３２をより安定して開口せしめることが出来るのであり、また、開口後も、シール保持部１００によってカバーシート１４が容器本体１２に固着状態に保持されることから、開蓋後における容器本体１２の取扱性も向上され得るのである。
【００６７】
次に、図２０には、本発明の第五の実施形態としてのブリスタパッケージ１０２の要部が拡大して示されている。かかるブリスタパッケージ１０２は、窪み２４の開口周縁部の外周側に位置して、窪み２４の開口方向と反対側に向かって屈曲した段差面を備えた縁切部に関して、第一の実施形態とは異なる実施形態を示すものである。
【００６８】
詳細には、本実施形態のブリスタパッケージ１０２においては、下段面４０が設けられておらず、フランジ状部２２の表面と窪み２４の開口周縁部の平坦面３４が略面一となるようにして形成されている。
【００６９】
また、フランジ状部２２には、縁切部としての凹溝１０４が該平坦面３４に近接して設けられている。この凹溝１０４は、フランジ状部２２の表面側に開口して、窪み２４の開口周縁部に形成された環状の平坦面３４を取り囲むようにして周方向の全周に亘って連続して形成されている。そして、この凹溝１０４における一対の側壁内面４２ａ，４２ｂのうちの内周側の面４２ａが、本実施形態における段差面とされている。
【００７０】
さらに、本実施形態の固着面４６は、フランジ状部２２において凹溝１０４の外周側に設定されている。これにより、固着面４６が、凹溝１０４によって、取出案内面３０や平坦面３４から離隔せしめられており、以て、取出案内面３０や平坦面３４と実質的に縁切り状態とされている。
【００７１】
次に、図２１には、本発明の第六の実施形態としてのブリスタパッケージ１０６が示されている。かかるブリスタパッケージ１０６は、固着面４６の設定位置に関して、前記第五の実施形態と異なる実施形態を示すものである。
【００７２】
すなわち、本実施形態のブリスタパッケージ１０６においては、固着面４６が、凹溝１０４の底面に設定されており、凹溝１０４の段差面４２ａによって、該固着面４６が平坦面３４と高さ方向で離隔せしめられており、それによって、固着面４６が取出案内面３０および平坦面３４と実質的に縁切り状態とされている。
【００７３】
このような構造とされたブリスタパッケージ１０６においては、前記実施形態と同様な効果が有効に発揮され得ることに加えて、固着面４６が凹溝１０４に収容されて、カバーシート１４の固着部分の、フランジ状部２２からの突出が回避されることから、例えば、後工程でのカバーシート１４の上面への印刷等が容易となるといった効果が発揮される。
【００７４】
次に、図２２には、本発明の第七の実施形態としてのブリスタパッケージ１０８が示されている。このブリスタパッケージ１０８は、前記第一の実施形態のブリスタパッケージ１０に比して、容器本体１２とカバーシート１４の固着面４６が、フランジ状部２２において段差状部３８の外周側に設けられた凹溝１０４の底面に設定されている。これにより、該固着面４６は、段差状部３８の段差面４２と凹溝１０４の段差面（側壁内面）４２ａによって平坦面３４と高さ方向において離隔せしめられており、それによって、取出案内面３０および平坦面３４と実質的に縁切り状態とされている。
【００７５】
次に、図２３〜２４には、本発明の第八の実施形態としてのブリスタパッケージ１１０が示されている。かかるブリスタパッケージ１１０は、（ｉ）窪み２４の開口部３２近くの内周面と、窪み２４の開口周縁部を、連続的に形成する取出案内面３０の形状と、（ii）窪み２４の開口部３２の開口周縁部の形状に関して、第一の実施形態と異なる実施形態を示すものである。
【００７６】
詳細には、本実施形態のブリスタパッケージ１１０におけるレンズ収納部２０は、扁平な略半球殻形状を有していると共に、その内部に形成される窪みの底面２６は、略一定の曲率半径：Ｒ２１を有する球状凹面とされている。また、フランジ状部２２は、窪み２４の開口周縁部から開口方向に略直交する方向に広がる平坦部１１２によって構成されており、ブリスタパッケージ１１０の全体として、平面視において略楕円形状を有している。更に、フランジ状部２２の外周部分には、窪み２４の開口方向と反対側に向かって延びる筒状の脚部１１４が一体形成されている。
【００７７】
また、フランジ状部２２の長径方向一方の端部には、所定幅で延び出す尾びれ部１１８が一体形成されている。この尾びれ部１１８は、開口方向に向かって凹となる湾曲断面とされており、下面には、補強リブ１２２，１２２が一体形成されている。また、この尾びれ部１１８は、平面視において略燕尾形状を有しており、それによって、フランジ状部２２が全体として平面視において略魚形状を呈している。
【００７８】
また、本実施形態の取出案内面１２４は、第一の分割案内面としてのテーパ状傾斜面１２６と第二の分割案内面としての凸湾曲面１２８によって構成されている。テーパ状傾斜面１２６は、窪みの底面２６に対して接続点：Ｐ２３で連続的に接続されており、接続点：Ｐ２３から開口方向に向かって拡開するように一定のテーパ角をもってストレートに延びる傾斜断面とされている。また、凸湾曲面１０４は、窪み２４の開口周縁部を構成する角部に形成されて、窪みの底面２６よりも充分に小さな曲率半径：Ｒ２２（図示せず）をもって開口方向に向かって凸となる略半円断面とされており、テーパ状傾斜面１２６と平坦部１１２に対して接続点：Ｐ２４，Ｐ２５で接続されている。また、凸湾曲面１２８の開口方向における突出先端面は、フランジ状部２２における平坦部１１２の上面と略同じ高さに設定されている。なお、上述の説明からも明らかなように、凸湾曲面１２８は、分割案内面の一つとして構成されている共に、窪み２４の開口周縁部のエッジを除く角取面として機能されている。
【００７９】
さらに、フランジ状部２２には、取出案内面１２４の外周側において周方向の全周に亘って連続して延びる凹溝１０４が形成されている。かかる縁切部としての凹溝１０４は、フランジ状部２２の表面側に開口しており、両側壁面が段差面４２ａ, ４２ｂとされている。また、凹溝１０４の底面には、幅方向中間部分において開口方向に向かって突出する基台部１３０が、周方向の全周に亘って連続して形成されている。これにより、凹溝１０４内の幅方向両端縁部には、それぞれ、基台部１３０の両側縁部に沿って延びる一対の小溝部１３２，１３２が、周方向の全周に亘って連続して形成されている。また、基台部１３０の高さ寸法は、凹溝１０４の深さ寸法よりも小さく設定されている。
【００８０】
そして、この基台部１３０の上面にカバーシートが載置されて溶着等により固着されるようになっている。これにより、基台部１３０によって構成された溶着面が、凹溝１０４の段差面４２ａによって取出案内面１２４と実質的に縁切り状態とされるのである。
【００８１】
特にこのような本実施形態においては、ブリスタパッケージ１１０の容器本体１２が魚形状とされていることから、優れた意匠性が発揮され得るのである。
【００８２】
次に、図２５〜２６には、本発明の第九の実施形態としてのブリスタパッケージ１３４が示されている。かかるブリスタパッケージ１３４は、容器本体１２等の形状に関して、前記第八の実施形態と異なる実施形態を示すものである。
【００８３】
すなわち、本実施形態のブリスタパッケージ１３４における窪みの底面２６は、球状凹面の曲率半径が周方向で適宜に異ならされることにより、平面視において略ハート形状とされている。また、フランジ状部２２は、窪み２４の開口周縁部から開口方向（図２６中、上方向）に略直交する方向に広がる平坦部１１２によって構成されており、平面視においてレンズ収納部２０よりも一回り大きな略ハート形状とされている。なお、窪みの開口周縁部の角部には、小さなアールが付されて角取りされている。また、本実施形態では、窪み２４の開口部近くの内周面に明確な取出案内面が設けられておらず、窪みの底面２６が、略一定の曲率半径で窪み２４の開口周縁部付近まで延長されて、フランジ状部２２（平坦部１１２）と直接に接続されている。
【００８４】
さらに、フランジ状部２２において窪み２４の開口周縁部の外周側には、前記第八の実施形態と同様に、段差面４２ａ，４２ｂや基台部１３０、小溝部１３２，１３２を備えた縁切部としての凹溝１０４が、周方向の全周に亘って連続して形成されており、かかる開口周縁部に近接する段差面４２が窪みの底面２６の外周縁部を含んで構成されている。そして、容器本体１２におけるカバーシート１４の固着面４６が、凹溝１０４の基台部１３０に設定されている。
【００８５】
以上、本発明の実施形態について詳述してきたが、これらはあくまでも例示であって、本発明は、これら実施形態における具体的な記載によって、何等、限定的に解釈されるものでない。
【００８６】
例えば、容器本体には、補強用の外周縦壁やリブ，剥離補助用や肉抜用の穴および把持に際しての滑り止め用の凹凸等が適宜に形成され得ることとなり、容器本体の具体的形状は、前記実施形態の形状のものに限定されるものでない。
【００８７】
また、フランジ状部の形状や大きさ等は、使用性やパッキング性等を考慮して任意に設定され得るものであり、例示のフランジ状部の形状に限定されるものではない。
【００８８】
加えて、本発明によるブリスタパッケージは、近視用、遠視用、老眼用等の各種ディスポーザブルタイプを含むソフトコンタクトレンズの他、ハードコンタクトレンズや眼内レンズ等の各種眼用レンズを収容することも勿論可能である。また、本発明に係るブリスタパッケージは、消費者等の最終利用者への提供用の眼用レンズ容器として採用可能である他、例えば、製造者から医療機関等への提供用の眼用レンズ容器としても採用可能である。
【００８９】
その他、一々列挙はしないが、本発明は、当業者の知識に基づいて、種々なる変更、修正、改良等を加えた態様において実施され得るものであり、また、そのような実施態様が、本発明の趣旨を逸脱しない限り、何れも、本発明の範囲内に含まれるものであることは、言うまでもない。
【００９０】
【発明の効果】
上述の説明から明らかなように、本発明に従う構造とされた眼用レンズ容器においては、容器本体と覆蓋シートの固着面が、窪みの開口部に対して、段差面を備えた縁切部によって隔てられていることから、眼用レンズをレンズ収納部から取り出す際において、覆蓋シートの剥離に際して固着面にバリ等が発生して荒らされた場合でも、かかるバリ等へのレンズの接触が軽減乃至は回避され得るのであり、それ故、眼用レンズを容器本体から取り出す際の眼用レンズにおける損傷が防止され得るのである。
【図面の簡単な説明】
【図１】本発明の第一の実施形態としてのブリスタパッケージにおいて、カバーシートを取り付けていない状態を示す平面説明図である。
【図２】図１におけるII−II断面図である。
【図３】図１に示されたブリスタパッケージの要部を拡大して示す縦断面図である。
【図４】図１に示されたブリスタパッケージを構成する容器本体の一製造工程を拡大して示す縦断面図である。
【図５】本発明の第二の実施形態としてのブリスタパッケージにおいて、カバーシートを取り付けていない状態を示す平面説明図である。
【図６】図５におけるVI−VI断面図である。
【図７】本発明の別の一具体例としてのブリスタパッケージを構成する取出案内面を拡大して示す縦断面図である。
【図８】本発明の更に別の一具体例としてのブリスタパッケージを構成する取出案内面を拡大して示す縦断面図である。
【図９】本発明の更に別の一具体例としてのブリスタパッケージを構成する取出案内面を拡大して示す縦断面図である。
【図１０】本発明の更に別の一具体例としてのブリスタパッケージを構成する取出案内面を拡大して示す縦断面図である。
【図１１】本発明の更に別の一具体例としてのブリスタパッケージを構成する取出案内面を拡大して示す縦断面図である。
【図１２】本発明の更に別の一具体例としてのブリスタパッケージを構成する取出案内面を拡大して示す縦断面図である。
【図１３】本発明の別の一具体例としてのブリスタパッケージを構成する嘴状部を示す平面説明図である。
【図１４】本発明の更に別の一具体例としてのブリスタパッケージを構成する嘴状部を示す平面説明図である。
【図１５】本発明の更に別の一具体例としてのブリスタパッケージを構成する嘴状部を示す平面説明図である。
【図１６】本発明の第三の実施形態としてのブリスタパッケージにおいて、カバーシートを取り付けていない状態を示す平面説明図である。
【図１７】図１６におけるXVII−XVII断面図である。
【図１８】本発明の第四の実施形態としてのブリスタパッケージにおいて、カバーシートを取り付けていない状態を示す平面説明図である。
【図１９】図１８におけるXIX −XIX 断面図である。
【図２０】本発明の第五の実施形態としてのブリスタパッケージにおいて、要部を拡大して示す縦断面図である。
【図２１】本発明の第六の実施形態としてのブリスタパッケージにおいて、要部を拡大して示す縦断面図である。
【図２２】本発明の第七の実施形態としてのブリスタパッケージにおいて、要部を拡大して示す縦断面図である。
【図２３】本発明の第八の実施形態としてのブリスタパッケージにおいて、カバーシートを取り付けていない状態を示す平面説明図である。
【図２４】図２３におけるIIXIV −IIXIV 断面図である。
【図２５】本発明の第九の実施形態としてのブリスタパッケージにおいて、カバーシートを取り付けていない状態を示す平面説明図である。
【図２６】図２５におけるIIXVI −IIXVI 断面図である。
【符号の説明】
１０  ブリスタパッケージ
１２  容器本体
１４  カバーシート
１６  コンタクトレンズ
１８  保存液
２０  レンズ収納部
２２  フランジ状部
２４  窪み
３０  取出案内面
３２  開口部
３８  段差状部
４２  段差面
４６  固着面
【図１】
0004749614.tif 000002
【図２】
0004749614.tif 000003
【図３】
0004749614.tif 000004
【図４】
0004749614.tif 000005
【図５】
0004749614.tif 000006
【図６】
0004749614.tif 000007
【図７】
0004749614.tif 000008
【図８】
0004749614.tif 000009
【図９】
0004749614.tif 000010
【図１０】
0004749614.tif 000011
【図１１】
0004749614.tif 000012
【図１２】
0004749614.tif 000013
【図１３】
0004749614.tif 000014
【図１４】
0004749614.tif 000015
【図１５】
0004749614.tif 000016
【図１６】
0004749614.tif 000017
【図１７】
0004749614.tif 000018
【図１８】
0004749614.tif 000019
【図１９】
0004749614.tif 000020
【図２０】
0004749614.tif 000021
【図２１】
0004749614.tif 000022
【図２２】
0004749614.tif 000023
【図２３】
0004749614.tif 000024
【図２４】
0004749614.tif 000025
【図２５】
0004749614.tif 000026
【図２６】
0004749614.tif 000027